(57)【特許請求の範囲】
【請求項１】
対撚線たるツイストペアケーブルから構成されるＬＡＮケーブルと、
前記ＬＡＮケーブルと接続されるコネクタ部と、
前記ＬＡＮケーブルと前記コネクタ部との接続部とを有し、
前記接続部には、前記ＬＡＮケーブルから露出する対撚線を位置決めするためのインナーハウジングが設置されている丸型コネクタ付きケーブルであって、
前記ＬＡＮケーブルが４対の対撚線から構成され互いに対撚りピッチが異なり、
前記対撚線が前記ＬＡＮケーブルから露出し前記インナーハウジングで位置決めされるまでの間の部分を斜視または断面視した状態において、対撚りピッチが２番目に長い対撚線を上方に、対撚りピッチが最も長い対撚線を下方にそれぞれ配置させた場合、対撚りピッチが３番目に長い対撚線が、対撚りピッチが４番目に長い対撚線の上側で交差していることを特徴とする丸型コネクタ付きケーブル。
【請求項２】
請求項１に記載の丸型コネクタ付きケーブルにおいて、
前記対撚線が撚り合わされた状態のまま前記インナーハウジングで位置決めされていることを特徴とする丸型コネクタ付きケーブル。
【請求項３】
請求項２に記載の丸型コネクタ付きケーブルにおいて、
前記インナーハウジングの側面には前記対撚線を嵌合するための溝が形成され、前記対撚線が撚り合された状態のまま前記溝に嵌合され位置決めされていることを特徴とする丸型コネクタ付きケーブル。
【請求項４】
請求項１に記載の丸型コネクタ付きケーブルにおいて、
前記対撚線は部分的に撚りがほどかれ前記インナーハウジングで位置決めされていることを特徴とする丸型コネクタ付きケーブル。
【請求項５】
請求項４に記載の丸型コネクタ付きケーブルにおいて、
前記インナーハウジングに前記対撚線を挿通するための貫通孔が形成されるか、または前記インナーハウジングの側面に前記対撚線を嵌合するためのフィンが形成され、
前記対撚線は部分的に撚りがほどかれ前記貫通孔に挿通され位置決めされるか、または前記フィン間に嵌合され位置決めされていることを特徴とする丸型コネクタ付きケーブル。
【請求項６】
請求項１〜５のいずれか一項に記載の丸型コネクタ付きケーブルにおいて、
前記接続部には、前記インナーハウジングが挿通される遮蔽筒体が設置され、かつ、前記インナーハウジングの表面には導電塗料が塗布されるか、または前記インナーハウジングが導電性を有する金属部品で構成され、
前記インナーハウジングが前記遮蔽筒体に挿通された状態においてその表面が前記遮蔽筒体の内面に接触していることを特徴とする丸型コネクタ付きケーブル。
【請求項７】
対撚線たるツイストペアケーブルから構成されるＬＡＮケーブルと、
前記ＬＡＮケーブルと接続されるコネクタ部と、
前記ＬＡＮケーブルと前記コネクタ部との接続部とを有し、
前記接続部には前記ＬＡＮケーブルから露出する対撚線を位置決めするためのインナーハウジングが設置されている丸型コネクタ付きケーブルの製造方法であって、
前記ＬＡＮケーブルから対撚線を露出させ、当該対撚線を前記インナーハウジングで位置決めしたままの状態で、前記ＬＡＮケーブルと前記コネクタ部とを接続する工程と、
前記ＬＡＮケーブルと前記コネクタ部との接続部位に溶融樹脂を注入し、前記接続部を形成する工程と、を備える丸型コネクタ付きケーブルの製造方法において、
前記ＬＡＮケーブルが４対の対撚線から構成され互いに対撚りピッチが異なり、
前記ＬＡＮケーブルと前記コネクタ部とを接続する工程では、前記ＬＡＮケーブルから前記対撚線を露出させ、対撚りピッチが２番目に長い対撚線を上方に、対撚りピッチが最も長い対撚線を下方にそれぞれ配置させた状態において、対撚りピッチが３番目に長い対撚線を、対撚りピッチが４番目に長い対撚線の上側で交差させ、前記対撚線をインナーハウジングに位置決めしたままの状態で、前記ＬＡＮケーブルと前記コネクタとを接続することを特徴とする丸型コネクタ付きケーブルの製造方法。
【請求項８】
請求項７に記載の丸型コネクタ付きケーブルの製造方法において、
前記接続部には、前記インナーハウジングが挿通される遮蔽筒体が設置され、かつ、前記インナーハウジングの表面には導電塗料が塗布されるか、または前記インナーハウジングが導電性を有する金属部品で構成され、
前記接続部を形成する工程では、前記遮蔽筒体を前記ＬＡＮケーブルと前記コネクタとの接続部位に配置し、前記インナーハウジングの表面を前記遮蔽筒体の内面に接触させ、当該接続部位に溶融樹脂を注入し、前記接続部を形成することを特徴とする丸型コネクタ付きケーブルの製造方法。
【発明の詳細な説明】
【技術分野】
【０００１】
本発明は丸型コネクタ付きケーブルおよびその製造方法に関する。
【背景技術】
【０００２】
従来からイーサネット（登録商標）の汎用コネクタとしてＲＪ４５型コネクタは広く知られている。近年では、耐振動性や防水性といった、産業用途で求められる高い信頼性をカバーできるコネクタとして「丸型コネクタ」が多くの業界で受け入れられるようになっており、当該丸型コネクタによれば、嵌合してねじ込むだけで上記特性を確保することが可能になっている。【０００３】
丸型コネクタおよびそれを使用したＬＡＮ（Local Area Network）ケーブルが特許文献１、２に開示されている。
特許文献１では、２個の嵌合コンタクト１２０（ピンコンタクト）または嵌合コンタクト２２０（ソケットコンタクト）ごとに４対の差動対Ｐを形成させ、各差動対Ｐの配置を特殊な配列にすることで、近端漏話、遠端漏話、挿入損失、反射減衰といった電気的特性を向上させようとしている（段落００１８、００２１、００２３−００３０、図５など）。
特許文献２でも、２個のコンタクト５０（ピンコンタクト）またはコンタクト９０（ソケットコンタクト）ごとに４対の差動対Ｐを形成させ、各差動対Ｐの配置を特殊な配列にすることで、クロストークの影響を軽減させ挿入損失の規格値をクリアさせている（段落００２０、００３０、００３３−００４０、図６−図８など）。
【先行技術文献】
【特許文献】
【０００４】
【特許文献１】特許第５５６５８３５号公報
【特許文献２】特開２０１８−１４２４１７号公報
【発明の開示】
【発明が解決しようとする課題】
【０００５】
しかしながら、特許文献１、２の技術では、コネクタ部分とＬＡＮケーブルとの間の接続部分については何ら言及がなく、当該接続部分も考慮にいれて、通信ケーブルとしての電気的特性を向上させる必要がある。
したがって本発明の主な目的は、コネクタ部分とＬＡＮケーブルとの間の接続部分も考慮にいれて、通信ケーブルとしての電気的特性を向上させうる丸型コネクタ付きケーブルを提供することにある。
【課題を解決するための手段】
【０００６】
上記課題を解決するため本発明によれば、
対撚線たるツイストペアケーブルから構成されるＬＡＮケーブルと、
前記ＬＡＮケーブルと接続されるコネクタ部と、
前記ＬＡＮケーブルと前記コネクタ部との接続部とを有し、
前記接続部には、前記ＬＡＮケーブルから露出する対撚線を位置決めするためのインナーハウジングが設置されている丸型コネクタ付きケーブルであって、
前記ＬＡＮケーブルが４対の対撚線から構成され互いに対撚りピッチが異なり、
前記対撚線が前記ＬＡＮケーブルから露出し前記インナーハウジングで位置決めされるまでの間の部分を斜視または断面視した状態において、対撚りピッチが２番目に長い対撚線を上方に、対撚りピッチが最も長い対撚線を下方にそれぞれ配置させた場合、対撚りピッチが３番目に長い対撚線が、対撚りピッチが４番目に長い対撚線の上側で交差していることを特徴とする丸型コネクタ付きケーブルが提供される。
【発明の効果】
【０００７】
本発明によれば通信ケーブルとしての電気的特性を向上させうる。
【図面の簡単な説明】
【０００８】
【図１】丸型コネクタ付きケーブルの外観を示す平面図である。
【図２】ＬＡＮケーブルの概略斜視図である。
【図３】図１から樹脂モールドを省略した概略平面図である
【図４】インナーハウジングの概略斜視図である。
【図５】丸型コネクタ付きケーブルの外観を示す平面図である。
【図６】ＬＡＮケーブルの概略断面図である。
【図７】図５から樹脂モールド部を省略して部品ごとに分解した斜視図である。
【図８Ａ】インナーハウジングの概略斜視図である。
【図８Ｂ】インサートの背面側を示す概略斜視図である。
【図８Ｃ】インサートの正面側を示す概略斜視図である。
【図９】樹脂モールド部の内部構成を概略的に示す図であって、対撚線がインナーハウジングを介してコネクタ部に接続される様子を示す図である。
【図１０】樹脂モールド部の内部構成を概略的に示す図であって、遮蔽筒体で被覆される様子を示す図である。
【図１１】インナーハウジングの変形例を示す斜視図である。
【図１２】インナーハウジングの変形例を示す斜視図である。
【発明を実施するための形態】
【０００９】
以下、本発明の好ましい実施形態にかかる丸型コネクタ付きケーブルについて説明する。
【００１０】
［第１の実施形態］
図１に示すとおり、丸型コネクタ付きケーブル１Ａは主に、ＬＡＮ（Local Area Network）ケーブル１０、コネクタ部１５および樹脂モールド部１６から構成されている。
【００１１】
図２に示すとおり、ＬＡＮケーブル１０はいわゆるツイストペアケーブルから構成された通信ケーブルであって、複数対（ここでは４対）の対撚線８から形成されるケーブル心９、内被層４、第１の遮蔽層５、第２の遮蔽層６および外被層７を有している。
対撚線８は２本の絶縁電線１２を撚り合わせた構成を有している。絶縁電線１２は導体２を絶縁体３で被覆した構成を有している。導体２は軟銅線から構成され、絶縁体３はポリエチレン樹脂から構成されている。
【００１２】
内被層４はケーブル心９の外周を被覆しており、耐燃性を兼ね備えたポリエチレン樹脂が押出成形され構成されている。
第１の遮蔽層５および第２の遮蔽層６は内被層４の外周側を順に被覆している。
第１の遮蔽層５は、アルミニウム箔を貼り付けて積層したポリエステルテープを、内被層４の外周面に重ね巻きすることによって形成されている。第２の遮蔽層６は、錫めっきを施した軟銅線編組によって構成されている。
外被層７は、第２の遮蔽層６の外周を被覆してＬＡＮケーブル１０の最外層を形成している。外被層７は、耐油性を有する樹脂から構成されている。
【００１３】
コネクタ部１５は他のコネクタケーブルや基板接続用のコネクタなどに接続される部位であり、金属製スリーブ（図１で露出している部材）の中に樹脂製インサート（図示略）が設置され、そこに導体２と導通したコンタクト（いわゆる金属製端子、図示略）が配置されている。
樹脂モールド部１６はＬＡＮケーブル１０とコネクタ部１５（金属製スリーブ）との接続部であって当該部位が樹脂でモールド（被覆）されている。
丸型コネクタ付きケーブル１ＡはＬＡＮケーブル１０とコネクタ部１５とが樹脂モールド部１６で被覆された、いわゆるオーバーモールドケーブルである。
【００１４】
図３に示すとおり、丸型コネクタ付きケーブル１Ａにおいて樹脂モールド部１６を省略した状態において（樹脂モールド部１６を形成する前の段階において）、ＬＡＮケーブル１０とコネクタ部１５との接続部位にはインナーハウジング１７が設置されている。
図４に示すとおり、インナーハウジング１７はほぼ円柱状を呈した樹脂製の部材であり、長さ方向に沿って複数本の溝１８が形成されている。ここでは対撚線８の本数に対応して４本の溝１８が形成されている。
本実施形態では、対撚線８が撚り合わされた状態のまま溝１８に嵌合され位置決めされ、その状態で樹脂モールド部１６により固着される。
【００１５】
次に丸型コネクタ付きケーブル１Ａの製造方法について説明する。
【００１６】
当該製造方法は大きくは、ＬＡＮケーブル１０とコネクタ部１５との接続工程と、樹脂モールド部１６の形成工程と、で構成される。
ＬＡＮケーブル１０とコネクタ部１５との接続工程では、はじめに、ＬＡＮケーブル１０を所望の長さで切断し、その切断部において内被層４、第１の遮蔽層５、第２の遮蔽層６および外被層７を皮剥ぎ除去し、対撚線８（絶縁電線１２）を露出させる。その後、絶縁電線１２の先端部から絶縁体３を皮剥ぎ除去し、導体２にコンタクトを圧着する。その後、対撚線８を、撚り合わせた状態のまま対撚線８の撚りをほぐさずにインナーハウジング１７の溝１８に嵌合させる。その後、コンタクトを樹脂製インサートに挿通しこれを金属製スリーブに設置し、ＬＡＮケーブル１０とコネクタ部１５とを接続する。
樹脂モールド部１６の形成工程では、ＬＡＮケーブル１０とコネクタ部１５との接続部位（露出した対撚線８を中心としてＬＡＮケーブル１０とコネクタ部１５とに跨る部位）を一定の金型に設置し、当該接続部位に対し溶融樹脂を注入する。樹脂が硬化したところで金型を外し、樹脂モールド部１６を形成する。
これら工程により、丸型コネクタ付きケーブル１Ａを製造することができる。
【００１７】
以上の本実施形態によれば、ＬＡＮケーブル１０とコネクタ部１５との接続部位で、ＬＡＮケーブル１０から露出する対撚線８を、インナーハウジング１７の溝１８に嵌合させて位置決めしかつ溝１８の中でも撚り合わせたままの状態を保持させている。そのため、丸型コネクタ付きケーブル１Ａの製造工程において溶融樹脂を注入した場合や、製造完了後（製品化後）においても、対撚線８の対間の間隔が一定に保持され、通信ケーブルとしての電気的特性を担保することができる（実施例１参照）。
【００１８】
［第２の実施形態］
図５に示すとおり、丸型コネクタ付きケーブル１Ｂは主に、ＬＡＮ（Local Area Network）ケーブル２０、コネクタ部４０および樹脂モールド部６０から構成されている。
【００１９】
図６に示すとおり、ＬＡＮケーブル２０はいわゆるツイストペアケーブルから構成された通信ケーブルであって、複数対（ここでは４対）の対撚線８で構成されたケーブル心９、内被層４、第１の遮蔽層５、第２の遮蔽層６および外被層７を有している。
【００２０】
対撚線８は２本の絶縁電線１２を撚り合わせた構成を有している。絶縁電線１２は導体２を絶縁体３で被覆した構成を有している。導体２は軟銅線から構成され、絶縁体３はポリエチレン樹脂から構成されている。
対撚線８は絶縁体３がそれぞれ着色されかつ対撚りピッチも互いに異なっている。当該対撚りピッチは７〜１４ｍｍである。対撚線８ａは茶／白茶で着色され対撚りピッチが最も長い。対撚線８ｂは橙／白橙で着色され対撚りピッチが２番目に長い。対撚線８ｃは緑／白緑で着色され対撚りピッチが３番目に長い。対撚線８ｄは青／白青で着色され対撚りピッチが４番目に長い（最も短い）。
【００２１】
ケーブル心９には十字介在２１が設置されている。十字介在２１はポリエチレン樹脂から構成されている。十字介在２１はＬＡＮケーブル２０の長さ方向に延在しており、対撚線８同士を非接触状態で分離している。
十字介在２１はＬＡＮケーブル２０の長さ方向に沿って撚られており、それに伴い対撚線８同士も十字介在２１に分離されながら撚られている。ここでは対撚線８の総撚り方向は右方向である。
【００２２】
内被層４はケーブル心９の外周を被覆しており、耐燃性を兼ね備えたポリエチレン樹脂が押出成形され構成されている。
第１の遮蔽層５および第２の遮蔽層６は内被層４の外周側を順に被覆している。
第１の遮蔽層５は、アルミニウム箔を貼り付けて積層したポリエステルテープを、内被層４の外周面に重ね巻きすることによって形成されている。第２の遮蔽層６は、錫（スズ）めっきを施した軟銅線編組によって構成されている。
外被層７は、第２の遮蔽層６の外周を被覆してＬＡＮケーブル２０の最外層を形成している。外被層７は、耐油性を有するポリ塩化ビニル樹脂から構成されている。
【００２３】
図７に示すとおり、ＬＡＮケーブル２０の絶縁電線１２（導体２）の先端にはピンコンタクト２２が１本ずつ圧着されている。
コネクタ部４０は他のコネクタケーブルや基板接続用のコネクタなどに接続される部位であり、ＬＡＮケーブル２０の両端部に設置されている。コネクタ部４０は、金属製のスリーブ４２、カップリングナット４４および樹脂製のインサート４６から構成されている。スリーブ４２に対しカップリングナット４４が外挿され、スリーブ４２に対しインサート４６が内挿（挿通）される。
【００２４】
樹脂モールド部６０はＬＡＮケーブル２０とコネクタ部４０との接続部であって当該部位が樹脂でモールド（被覆）されている。
丸型コネクタ付きケーブル１ＢはＬＡＮケーブル２０とコネクタ部４０とが樹脂モールド部６０で被覆された、いわゆるオーバーモールドケーブルである。
樹脂モールド部６０はインナーハウジング６２および遮蔽筒体６６を有しており、インナーハウジング６２が遮蔽筒体６６に挿通された状態でこれらが樹脂モールド部６０の内部に埋設されている。
【００２５】
図８Ａに示すとおり、インナーハウジング６２はほぼ円柱状を呈した樹脂製の部材であり、長さ方向に沿って複数本の溝６４が形成されている。ここでは対撚線８の撚り数に対応して４本の溝６４が形成されている。
図８Ｂおよび図８Ｃに示すとおり、インサート４６には複数の貫通孔４８が形成されており、ピンコンタクト２２が挿通される。ここでは対撚線８の絶縁電線１２の本数に対応して８個の貫通孔４８が形成されている。
なお、図８Ａおよび図８Ｂに示すとおり、インナーハウジング６２には軸部６５（突起）が、インサート４６にはこれを受ける軸受部４９（孔）がそれぞれ形成されており、ＬＡＮケーブル２０とコネクタ部４０との接続工程において軸部６５が軸受部４９に挿通され、インナーハウジング６２とインサート４６との位置が固定される。
図９に示すとおり、対撚線８は撚り合わされた状態のまま溝６４に嵌合され位置決めされ、その状態で遮蔽筒体６６に挿通される。
図１０に示すとおり、遮蔽筒体６６は樹脂モールド部６０を電磁遮蔽するための筒状部材であり、銅または銅合金から構成されている。遮蔽筒体６６はＬＡＮケーブル２０とスリーブ４２の外径とに合わせた形状を有しており、両端部が加締めなどされＬＡＮケーブル２０とスリーブ４２とに固定されている。
【００２６】
図９に示すとおり、丸型コネクタ付きケーブル１Ｂの一方の端部では、ＬＡＮケーブル２０から露出させた緑／緑白の対撚線８ｃと青／青白の対撚線８ｄとを一定の関係で互いに交差させてインナーハウジング６２の溝６４に嵌合させている。ここでは、対撚線８ｃ、８ｄの交差態様が特殊な構成を有しており、対撚線８がＬＡＮケーブル２０から露出しインナーハウジング６２で位置決めされるまでの間の部分を斜視または断面視した状態において、橙／白橙の対撚線８ｂを上方に、茶／茶白の対撚線８ａを下方にそれぞれ配置させた場合、緑／緑白の対撚線８ｃが青／青白の対撚線８ｄの上側で交差し、青／青白の対撚線８ｄが緑／緑白の対撚線８ｃの下側で交差している。
なお、丸型コネクタ付きケーブル１Ｂの他方の端部では、緑／緑白の対撚線８ｃと青／青白の対撚線８ｄとは交差せずに、インナーハウジング６２の溝６４に嵌合されている。
【００２７】
インナーハウジング６２の表面には導電塗料が塗布されている。導電塗料は導電性を付与しうる汎用性の塗料であれば使用可能であり、ここでは銀導電塗料が塗布されている。
インナーハウジング６２は遮蔽筒体６６に挿通された状態においてはその表面が遮蔽筒体６６の内面に接触し、インナーハウジング６２と遮蔽筒体６６とが電気的に導通している。インナーハウジング６２は導電性を有する金属部品で構成されてもよく、かかる場合も、インナーハウジング６２の表面を遮蔽筒体６６の内面に接触させ、インナーハウジング６２と遮蔽筒体６６とを電気的に導通させる。
【００２８】
次に丸型コネクタ付きケーブル１Ｂの製造方法について説明する。
【００２９】
当該製造方法は大きくは、ＬＡＮケーブル２０とコネクタ４０との接続工程と、樹脂モールド部６０の形成工程と、で構成される。
ＬＡＮケーブル２０とコネクタ４０との接続工程では、はじめに、ＬＡＮケーブル２０に遮蔽筒体６６を外挿しておき、ＬＡＮケーブル２０を所望の長さで切断する。その後、当該切断部において内被層４、第１の遮蔽層５、第２の遮蔽層６および外皮層７を皮剥ぎ除去し、対撚線８（絶縁電線１２）を露出させる。このとき第２の遮蔽層６を外被層７から露出させるか、または外被層７から露出させその外側に折り返す。その後、絶縁電線１２の先端部から絶縁体３を皮剥ぎ除去し、導体２にピンコンタクト２２を圧着する。
その後、ＬＡＮケーブル２０の一方の端部では、ＬＡＮケーブル２０を斜視または断面視して、橙／白橙の対撚線８ｂを上方に、茶／茶白の対撚線８ａを下方にそれぞれ配置させ、その状態において、緑／緑白の対撚線８ｃを青／青白の対撚線８ｄの上側で交差させる。ＬＡＮケーブル２０の他方の端部では、対撚線８ｃ、８ｄを交差させる必要はない。
その後、対撚線８を、撚り合わせた状態のまま（対撚線８の撚りをほぐさずに）インナーハウジング６２の溝６４に嵌合させる。その後、ピンコンタクト２２をインサート４６の貫通孔４８に挿通し、そのままインナーハウジング６２をインサート４６に設置する。その後、インサート４６とカップリングナット４４とをスリーブ４２に内挿および外挿し、ＬＡＮケーブル２０とコネクタ部４０とを接続する。
【００３０】
樹脂モールド部６０の形成工程では、遮蔽筒体６６をＬＡＮケーブル２０側からスライド移動させ、露出している対撚線８とインナーハウジング６２とを遮蔽筒体６６で被覆する。かかる場合に、遮蔽筒体６６の一方の端部をスリーブ４２に接触させ、遮蔽筒体６６の他方の端部を露出させたまたは折り返した第２の遮蔽層６に接触させる。同時にインナーハウジング６２の表面を遮蔽筒体６６の内面に接触させる。その位置で遮蔽筒体６６の両端部を加締めなどおこない、遮蔽筒体６６をスリーブ４２と第２の遮蔽層６とに固定する。この状態においては、第２の遮蔽層６、遮蔽筒体６６、インナーハウジング６２およびスリーブ４２が互いに電気的に導通する。
その後、ＬＡＮケーブル２０とコネクタ部４０との接続部位（遮蔽筒体６６を中心とした部位）を一定の金型に設置し、当該接続部位に対し溶融樹脂を注入する。樹脂が硬化したところで金型を外し、樹脂モールド部６０を形成する。
これら工程により、丸型コネクタ付きケーブル１Ｂを製造することができる。
【００３１】
以上の本実施形態によれば、第１の実施形態と同様に、ＬＡＮケーブル２０とコネクタ４０との接続部位で、ＬＡＮケーブル２０から露出する対撚線８を、インナーハウジング６２の溝６４に嵌合させて位置決めしかつ溝６４の中でも撚り合わせたままの状態を保持させている。そのため、丸型コネクタ付きケーブル１Ｂの製造工程において溶融樹脂を注入した場合や、製造完了後（製品化後）においても、対撚線８の対間の間隔が一定に保持され、通信ケーブルとしての電気的特性を安定させることができる（実施例２、３参照）。
【００３２】
併せて、丸型コネクタ付きケーブル１Ｂの一方の端部では、緑／緑白の対撚線８ｃを青／青白の対撚線８ｄの上側で交差させているため、電気的特性（近端通話減衰量Next）を改善することができる（実施例２、３参照）。これは、緑／緑白の対撚線８ｃと青／青白の対撚線８ｄとに着目した場合に、対撚線８ｃ、８ｄ同士の撚り方向が対撚線８同士の総撚り方向に一致し（右方向）、各対撚線８ｃ、８ｄ間の間隔や関係が適正に維持されたためと推察される。
さらにインナーハウジング６２の表面には導電塗料が塗布されているため、ＬＡＮケーブル２０の第２の遮蔽層６から遮蔽筒体６６を通じてスリーブ４２に至る部分のみならず、遮蔽筒体６６の内部にも遮蔽効果が及び、各対撚線８間を遮蔽させたまま隔離しうるので、電気的特性（反射減衰量RL）を改善することができる（実施例３参照）。
緑／緑白の対撚線８ｃを青／青白の対撚線８ｄの上側で交差させる技術的要素と、インナーハウジング６２に導電性を付与する技術的要素とは、本実施形態のように両方が同時に組み合わされ適用されてもよいし、いずれか一方のみが選択的に適用されてもよい。当該技術的要素は、丸型コネクタ付きケーブル１Ｂに要求される電気的特性に応じて（近端通話減衰量Nextを改善するのか、または反射減衰量RLを改善するのかに応じて）、両方またはいずれか一方が適用されればよい。
【００３３】
なお、図４のインナーハウジング１７および図８Ａのインナーハウジング６２の態様は適宜変更可能である。
たとえば、図１１のインナーハウジング８０に変更されてもよいし、図１２のインナーハウジング９０に変更されてもよい。
図１１のインナーハウジング８０も円柱状を呈しており、長さ方向に沿って複数本の貫通孔８２が形成されている。インナーハウジング８０を適用する場合は、対撚線８の撚りを部分的にほどき対撚線８ごとに絶縁電線１２を貫通孔８２に挿通し位置決めすればよい。
図１２のインナーハウジング９０もほぼ円柱状を呈しており、長さ方向に沿って複数枚のフィン９２が形成されている。インナーハウジング９０を適用する場合は、対撚線８の撚りを部分的にほどき絶縁電線１２を１本ずつフィン９２間に嵌合し位置決めすればよい。
図１１のインナーハウジング８０に変更される場合も、図１２のインナーハウジング９０に変更される場合も、対撚線８の撚りは部分的にほどかれるものの、絶縁電線１２は一定位置に固定され位置決めされる（絶縁電線１２の線間の配置や間隔などが一定に保持される）ため、通信ケーブルとしての電気的特性は担保される。
【実施例１】
【００３４】
（１）サンプルの準備
図２と同様の構成を有するＬＡＮケーブルを準備し（当該ＬＡＮケーブルはＡＮＳＩ（米国規格協会）の配線規格であるＡＮＳＩ／ＴＩＡ−５６８−Ｄ．２に定義された１０ギガビット伝送が可能なＣａｔ．６Ａの電気特性（周波数５００ＭＨｚまでの伝送帯域）を保証している。）、上記第１の実施形態で説明した製造方法にしたがい、丸型コネクタ付きケーブルを製造した。
ここでは、２種の丸型コネクタ付きケーブルを製造し、図４のインナーハウジングを設置したもの（サンプル１１）と、図４のインナーハウジングを故意に省略したもの（サンプル１２）とを、それぞれ準備した。【００３５】
（２）サンプルの電気的特性試験
各サンプルに対し、試験規格TIA 568.2-D Patch Cord Cat6Aに準拠したパッチコード試験を実施した。試験結果を表１に示す。【００３６】
【表１】
0006955133.tif 000002
【００３７】
（３）まとめ
表１に示すとおり、サンプル１１では近端通話減衰量Ｎｅｘｔおよび反射減衰量ＲＬの結果がともに良好であり、通信ケーブルとしての電気的特性を担保していたのに対し、サンプル１２では当該特性を担保しうる結果が得られなかった。
以上から、ＬＡＮケーブルから露出する対撚線をインナーハウジングで位置決めすること（ここでは対撚線を撚り合わせた状態のままインナーハウジングで位置決めすること）が、通信ケーブルとしての電気的特性を担保するのに有用であることがわかった。
【実施例２】
【００３８】
（１）サンプルの準備
図６と同様の構成を有するＬＡＮケーブルを準備し（当該ＬＡＮケーブルはＡＮＳＩ（米国規格協会）の配線規格であるＡＮＳＩ／ＴＩＡ−５６８−Ｄ．２に定義された１０ギガビット伝送が可能なＣａｔ．６Ａの電気特性（周波数５００ＭＨｚまでの伝送帯域）を保証している。）、上記第２の実施形態で説明した製造方法にしたがい、丸型コネクタ付きケーブルを製造した。
ここでは、４種の丸型コネクタ付きケーブルを製造し、一方の端部で青／青白の対撚線を緑／緑白の対撚線の上側で交差させたものと（サンプル２１、２２）、その交差態様を反転させて緑／緑白の対撚線を青／青白の対撚線の上側で交差させたものとを（サンプル２３、２４）、それぞれ準備した。
なお、サンプル２１−２４では、図１１のインナーハウジングを使用し、対撚線の撚りを部分的にほどき対撚線ごとに絶縁電線を２本ずつ貫通孔に挿通し位置決めした。サンプル２１−２４では遮蔽筒体を設置せず、インナーハウジングにも導電性を付与しなかった。
サンプル２１−２４の比較として、実施例１のサンプル１２と同様のサンプルであって、インナーハウジングおよび遮蔽筒体を設置しなかったものも準備した（サンプル２０）。【００３９】
（２）サンプルの電気的特性試験
各サンプルに対し、試験規格TIA 568.2-D Patch Cord Cat6Aに準拠したパッチコード試験を実施した。試験結果を表２に示す。【００４０】
【表２】
0006955133.tif 000003
【００４１】
（３）まとめ
表２に示すとおり、サンプル２０に対しサンプル２１−２４では近端通話減衰量Ｎｅｘｔおよび反射減衰量ＲＬが顕著に改善した。これはインナーハウジングを設置し対撚線を位置決めしたことによる。
サンプル２１、２２に対しサンプル２３、２４では特に、近端通話減衰量Ｎｅｘｔが顕著に改善した。これは、緑／緑白の対撚線と青／青白の対撚線との撚り方向が４対の対撚線同士の総撚り方向に一致し（右方向）、緑／緑白の対撚線と青／青白の対撚線との間の間隔や関係が適正に維持されたためと推察される。
以上から、丸型コネクタ付きケーブルの一方の端部で、緑／緑白の対撚線を青／青白の対撚線の上側で交差させることが、通信ケーブルとしての電気的特性を改善させるのに有用であることがわかった。
【実施例３】
【００４２】
（１）サンプルの準備
図６と同様の構成を有するＬＡＮケーブルを準備し（当該ＬＡＮケーブルはＡＮＳＩ（米国規格協会）の配線規格であるＡＮＳＩ／ＴＩＡ−５６８−Ｃ．２に定義された１０ギガビット伝送が可能なＣａｔ．６Ａの電気特性（周波数５００ＭＨｚまでの伝送帯域）を保証している。）、上記第２の実施形態で説明した製造方法にしたがい、丸型コネクタ付きケーブルを製造した。
ここでは、４種の丸型コネクタ付きケーブルを製造し、インナーハウジングに導電塗料を塗布しなかったもの（サンプル３１、４１）と、インナーハウジングに導電塗料を塗布したもの（サンプル３２、４２）とを、それぞれ準備した。当該導電塗料としてデュポン社製４８１７Ｎを使用した。
なお、サンプル３１、３２、４１、４２では、図８Ａのインナーハウジングを使用し、対撚線を撚り合わせた状態のまま溝に嵌合しインナーハウジングで位置決めした。
併せてサンプル３１、３２では、一方の端部で緑／緑白の対撚線を青／青白の対撚線の上側で交差させ、サンプル４１、４２ではその交差態様を採用せずに青／青白の対撚線を緑／緑白の対撚線の上側で交差させた。【００４３】
（２）サンプルの電気的特性試験
各サンプルに対し、試験規格TIA Patch Cord Cat.6aに準拠したパッチコード試験を実施した。試験結果を表３に示す。【００４４】
【表３】
0006955133.tif 000004
【００４５】
（３）まとめ
表３に示すとおり、サンプル３１に対しサンプル３２では特に、反射減衰量ＲＬが１ｄＢほど改善し、サンプル４１、４２でも同様の改善がみられた。
以上から、インナーハウジングに導電性を付与しその表面を遮蔽筒体の内面に接触させることが、通信ケーブルとしての電気的特性を改善させるのに有用であることがわかった。
【産業上の利用可能性】
【００４６】
本願発明は丸型コネクタ付きケーブルおよびその製造方法にかかり、通信ケーブルとしての電気的特性を向上させるのに有用である。
【符号の説明】
【００４７】
１Ａ、１Ｂ  丸型コネクタ付きケーブル
２  導体
３  絶縁体
４  内被層
５  第１の遮蔽層
６  第２の遮蔽層
７  外被層
８  対撚線
９  ケーブル心
１０  ＬＡＮケーブル
１２  絶縁電線
１５  コネクタ部
１６  樹脂モールド部
１７  インナーハウジング
１８  溝
２０  ＬＡＮケーブル
２１  十字介在
２２  ピンコンタクト
４０  コネクタ部
４２  スリーブ
４４  カップリングナット
４６  インサート
４８  貫通孔
４９  軸受部
６０  樹脂モールド部（接続部）
６２  インナーハウジング
６４  溝
６５  軸部
６６  遮蔽筒体
８０  インナーハウジング
８２  貫通孔
９０  インナーハウジング
９２  フィン
【要約】
通信ケーブルとしての電気的特性を担保しうる丸型コネクタ付きケーブルを提供する。
丸型コネクタ付きケーブル１Ａは、対撚線たるツイストペアケーブルから構成されるＬＡＮケーブル１０と、ＬＡＮケーブル１０と接続されるコネクタ部１５と、ＬＡＮケーブル１０とコネクタ部１５との接続部位を被覆する樹脂モールド部１６とを、有する。樹脂モールド部１６には、ＬＡＮケーブル１０から露出する対撚線を位置決めするためのインナーハウジングが設置されている。【図１】
0006955133.tif 000005
【図２】
0006955133.tif 000006
【図３】
0006955133.tif 000007
【図４】
0006955133.tif 000008
【図５】
0006955133.tif 000009
【図６】
0006955133.tif 000010
【図７】
0006955133.tif 000011
【図８Ａ】
0006955133.tif 000012
【図８Ｂ】
0006955133.tif 000013
【図８Ｃ】
0006955133.tif 000014
【図９】
0006955133.tif 000015
【図１０】
0006955133.tif 000016
【図１１】
0006955133.tif 000017
【図１２】
0006955133.tif 000018